(57)【要約】
【課題】プラグをコンセント内に係止し、簡単に脱落しないコンセントの係止、及び解除装置を提供することを主な課題とする。
【解決手段】主に下部ケース２、上部ケース３、電極挟片４、ボタン５により構成する。電極挟片４は、第一接触板４１、第二接触板４２により構成する。第一接触板４１に、差込口壁４１１を設け、第二接触板４２の差込口壁４２１に対応する位置に、凸塊４２２を設ける。プラグ１をコンセントに差し込むと、プラグ１の導孔１２に凸塊４２２が入り、プラグ１は固定され、引き抜く時は、ボタン５を押せば、凸塊４２２は、導孔１２から離脱するので楽に引き抜くことができる。
【選択図】図５
0003100603.tif 000002
【実用新案登録請求の範囲】
【請求項１】
ケースと、電極挟片と、ボタンとを含み、
前記ケースは、前端に、差込口が設けられており、
前記電極挟片は、第一接触板と第二接触板の間の少なくとも一方に、可撓性を持つ折り曲げ部を具有し、第一接触板と第二接触板は、彎曲連結されており、それぞれの差込口に対応するように、外側に向かって開く形状の差込口壁が形成されており、第二接触板には、凸塊が設けられており、プラグの接続刃の導孔は、差込口から差込口壁に入った後、凸塊により、係止、定位され、第二接触板の第一接触板に相対する位置には、延伸接面が設けられており、
前記ボタンは、ケースの両側に係止されており、側縁には、頂板が設けられており、前記頂板は、ボタンを押圧した時、第一接触板を通過し、第二接触板の延伸接面を押圧し、第二接触板の凸塊を接続刃の導孔から離脱させる
ことを特徴とするコンセントの係止、及び解除装置。
【請求項２】
前記ケース内部には、電極挟片の差込口壁に対応する角部仕切りを具有することを特徴とする請求項１に記載のコンセントの係止、及び解除装置。
【請求項３】
前記第一接触板の差込口壁の位置に相対するもう一端の位置には、一対の定位片が設けられており、定位片は、ケース内の、対応する位置に設けられた挟板仕切りに定位されていることを特徴とする請求項１に記載のコンセントの係止、及び解除装置。
【請求項４】
前記ケースの側縁には、それぞれ対応する位置に切り溝が設けられており、ボタン、及びコードを挟合し、固定していることを特徴とする請求項１に記載のコンセントの係止、及び解除装置。
【請求項５】
一組の電極挟片を、肩部により、もう一組の電極挟片と連結することが可能で、マルチタップコンセント上に応用することができることを特徴とする請求項１に記載のコンセントの係止、及び解除装置。
【考案の詳細な説明】
【技術分野】
【０００１】
本考案は、コンセントの改良構造に係り、特に係止、及び解除装置を具有するコンセントの改良に関わる。
【背景技術】
【０００２】
一般的なプラグ１とコンセント１３を、図１０に示して説明すると、前記コンセント１３内部には、プラグ１の接続刃１１の導孔１２を固定する構造が設けられておらず、一般に、強制的に抜き取る方法で、接続刃１１をコンセント１３から外していた。  しかし、コンセント１３の使用が長くなると、コンセント１３の差込孔が大きくなり、プラグ１がコンセント１３から容易に外れるようになったり、使用者がうっかりコンセント１３に触れた場合、プラグ１がコンセント１３から容易に外れてしまい、電気製品への電力供給が寸断されてしまい、そのために電気製品の寿命が短くなったり、コンピュータのデータが消えてしまったりするという欠点がある。
【０００３】
更に、付近が湿った環境で、作業中にコンセント１３が外れた場合、容易に人が感電してしまう危険があり、公知構造のコンセント１３は改良の必要があることが判る。
【特許文献１】特開２００２−３４３４８９公報
【考案の開示】
【考案が解決しようとする課題】
【０００４】
本考案は、前記公知構造の欠点を解決するため、プラグをコンセント内に係止し、簡単に脱落しないコンセントの係止、及び解除装置を提供することを主な課題とする。
また、使用者が簡単に操作でき、使用寿命を延ばすことができるコンセントの係止、及び解除装置を提供することをもう一つの課題とする。
【課題を解決するための手段】
【０００５】
前記課題を解決するために、請求項１の考案は、コンセントの係止、及び解除装置において、ケースと、電極挟片と、ボタンとを含み、前記ケースは、前端に、差込口が設けられており、前記電極挟片は、第一接触板と第二接触板の間の少なくとも一方に、可撓性を持つ折り曲げ部を具有し、第一接触板と第二接触板は、彎曲連結されており、それぞれの差込口に対応するように、外側に向かって開く形状の差込口壁が形成されており、第二接触板には、凸塊が設けられており、プラグの接続刃の導孔は、差込口から差込口壁に入った後、凸塊により、係止、定位され、第二接触板の第一接触板に相対する位置には、延伸接面が設けられており、前記ボタンは、ケースの両側に係止されており、側縁には、頂板が設けられており、前記頂板は、ボタンを押圧した時、第一接触板を通過し、第二接触板の延伸接面を押圧し、第二接触板の凸塊を接続刃の導孔から離脱させるもので、上記構造により、強制的に引き抜かれることにより、接触不良が発生するという弊害は起こらない。  
【０００６】
請求項２の考案は、前記ケース内部には、電極挟片の差込口壁に対応する角部仕切りを具有する請求項１に記載のコンセントの係止、及び解除装置である。
【０００７】
請求項３の考案は、前記第一接触板の差込口壁の位置に相対するもう一端の位置には、一対の定位片が設けられており、定位片は、ケース内の、対応する位置に設けられた挟板仕切りに定位されている請求項１に記載のコンセントの係止、及び解除装置である。
【０００８】
請求項４の考案は、前記ケースの側縁には、それぞれ対応する位置に切り溝が設けられており、ボタン、及びコードを挟合し、固定している請求項１に記載のコンセントの係止、及び解除装置である。
【０００９】
請求項５の考案は、一組の電極挟片を、肩部により、もう一組の電極挟片と連結することが可能で、マルチタップコンセント上に応用することができることを特徴とする請求項１に記載のコンセントの係止、及び解除装置である。
【考案の効果】
【００１０】
本考案は、コンセントの係止、及び解除装置において、両側に設けられたボタンを押圧し、電極挟片をプラグの接続刃の導孔から離脱させ、プラグを取り外すので、強制的に引き抜かれることにより、接触不良が発生するという弊害が起こらないという効果を有する。また、操作が極めて簡単な上便利であり、更に、コンセントの使用寿命を大幅に伸ばすことができる。
【考案を実施するための最良の形態】
【００１１】
本考案の実施例は、図１，４に示すように、主に、下部ケース２、上部ケース３、コード６により構成されており、下部ケース２と上部ケース３内には、左右対称に２つの電極挟片４と２つのボタン５が設けられている。前記下部ケース２と上部ケース３の間には、左右対称の挟板仕切り２５と角部仕切り２４ａ、２４ｂが設けられており、電極挟片４を嵌入、定位している。前記下部ケース２と上部ケース３の側縁のそれぞれ対応する位置には、切り溝２２、２３が設けられており、それぞれ、ボタン５、及びコードの緊張緩和スリーブ６１を挟持、固定しており、前端には、差込口切り溝２１、３１が設けられており、前記差込口切り溝２１、３１は、お互いに重なり合い、差込口を形成しており、プラグ１の接続刃１１が挿入される（図４，５を参照）。
【００１２】
図１，２に示すように、それぞれの電極挟片４は、第一接触板４１、第二接触板４２により構成されており、その前端には、それぞれ、外側に向かって離れていく形状の差込口壁４１１、４２１が形成されており、前記第一接触板４１の少なくとも一方には、可撓性を持つ折り曲げ部４３が設けられており、第一接触板４１と第二接触板４２の片側はお互いに折り曲げられ、接続されており、プラグ１の接続刃１１を差し込む空間（図５を参照）を形成しており、前記第一接触板４１の差込口壁４１１，４２１の位置に相対するもう一端の位置には、一対の定位片４１２が設けられており、それにより、下部ケース２、及び上部ケース３の挟板仕切り２５内に嵌入、定位されており、第一接触板４１と第二接触板４２の差込口壁４１１、４２１は、それぞれ、角部仕切り２４ａ、２４ｂに挟持されており、前記電極挟片４は下部ケース２と上部ケース３の間にしっかり固定されている。
【００１３】
図２に示すように、前記電極挟片４の第二接触板４２には、凸塊４２２が設けられており、前記凸塊４２２は、プラグ１の接続刃１１の導孔１２の位置に対応しており、折り曲げ部４３の可撓性により、第一接触板４１と第二接触板４２は、前記プラグ１の接続刃１１を挟合し（図６を参照）、導孔１２に前記凸塊４２２が貫通し、抵触することにより、接続刃１１は、係止され、第二接触板４２の第一接触板４１に相対する位置には、延伸接面４２３が設けられており、前記第二接触板４２と第一接触板４１の間に、押圧するための空間を形成している。
【００１４】
図１に示すように、前記ボタン５に対称の位置には、係止塊５２が設けられており、前記係止塊５２により、ボタン５の上部と下部が下部ケース２と上部ケース３の間に挟持、固定されており、前記ボタン５の両側縁には、頂板５１が設けられており、前記頂板５１は、電極挟片４の第二接触板４２の延伸接面４２３の位置に対応しており、前記頂板５１は、第二接触板４２の延伸接面４２３を押圧し、第二接触板４２と第一接触板４１の間の折り曲げ部４３は反発し、第二接触板４２と第一接触板は引き離される。
【００１５】
図４に示すように、プラグ１の接続刃１１が、電極挟片４の差込口壁４１１，４２１から一定の深さまで差し込まれた時、導孔１２に電極挟片４の第二接触板４２の凸塊４２２が入り、折り曲げ部４３の可撓性により、前記第二接触板４２の凸塊４２２は、第一接触板４１の側縁面を押圧し、前記接続刃１１は、第一接触板４１と、第二接触板４２の間で挟持され（図６を参照）、接続刃１１は、しっかりと係止される。
【００１６】
図６に示すように、引き抜く時は、両側のボタン５を押せばよく、ボタン５の頂板５１が、第一接触板４１を通過し、第二接触板４２の延伸接面４２３を押圧することにより、第二接触板４２を第一接触板４１から引き離し、前記第二接触板４２の凸塊４２２は、前記接続刃１１の導孔１２から離脱し、それにより、プラグ１の接続刃１１を楽に引き抜くことができ（図５を参照）、強制的に引き抜くのではないので、電極挟片４の弾力性が疲労し、接触不良が発生するという弊害が起こらず、有効的にコンセントの使用寿命を延ばすことができる。
【００１７】
図７に示すように、本考案は、差込口９の位置に、アース口９１を設けることができ、環境による需要に合わせることができる。
【００１８】
図８に示すように、本考案の一組の電極挟片４を、肩部７により、もう一組の電極挟片４と連結することが可能で、マルチタップコンセント上に応用することができる（図９を参照）。
【図面の簡単な説明】
【００１９】
【図１】本考案の実施例の分解図である。
【図２】本考案の実施例の電極挟片の外観図である。
【図３】本考案の実施例の局部構成図である。
【図４】本考案の実施例の完成後の外観図である。
【図５】本考案の実施例のプラグ差込み時の動作を示す図である。
【図６】本考案の実施例のプラグ離脱時の動作を示す図である。
【図７】本考案の実施例のもう一つの実施例を示す図である。
【図８】本考案の実施例のもう一つの実施例の構成図である。
【図９】本考案の実施例の図８の実施例を示す図である。
【図１０】公知構造のプラグ差込み時の様子を示す図である。
【符号の説明】
【００２０】
１      プラグ
１１    接続刃    
１２    導孔
１３    公知構造のコンセント
２      下部ケース
２１    差込口切り溝
２２    切り溝
２３    切り溝
２４ａ  角部仕切り
２４ｂ  角部仕切り
２５    挟板仕切り
３      上部ケース
３１    差込口切り溝
４      電極挟片
４１    第一接触板
４１１  差込口壁
４１２  定位片
４１３  切込面
４２    第二接触板
４２２  凸塊
４２３  延伸接面
４２１  差込口壁
４３    折り曲げ部
５      ボタン
５１    頂板
５２    係止塊
６      コード
６１    緊張緩和スリーブ
７      肩部
９      差込口
９１    アース口
【図１】
0003100603.tif 000003
【図２】
0003100603.tif 000004
【図３】
0003100603.tif 000005
【図４】
0003100603.tif 000006
【図５】
0003100603.tif 000007
【図６】
0003100603.tif 000008
【図７】
0003100603.tif 000009
【図８】
0003100603.tif 000010
【図９】
0003100603.tif 000011
【図１０】
0003100603.tif 000012